(57)【要約】      （修正有）【課題】収納物の高さが高いものであっても開梱作業を容易に行える緩衝機能を備えた包装箱を提供する。【解決手段】箱本体２に収納された収納物１０の両側部に配置される緩衝部材４が、互いに交差した一対の収納物載置板５及び背面板６を備える構成であり、互いに交差する一対の収納物載置板５の交差部７の両側で収納物載置板５同士に挟まれる第１付勢部８Ａと、背面板６と交差部７との間に介在された第２付勢部８Ｂとを備えてなる。そして、この収納物載置板５の高さを箱本体２の高さの半分程度に設定して、収納物１０の引き上げ途中で収納物載置板５の上に収納物１０を載置可能とした。【選択図】図２
2005145458.tif 000002
【特許請求の範囲】
【請求項１】
収納物を収納する箱本体内に、前記収納物と前記箱本体の内側面との間に緩衝部材が介在される包装箱であって、
前記収納物の側面と前記箱本体の内側面との間に配置される前記緩衝部材が、前記箱本体の内外方向に弾性変形する付勢部と、前記収納物を収納した状態で該付勢部の付勢力で前記箱本体の内方向へ付勢される、前記箱本体の高さより低い高さの収納物載置部とでなることを特徴とする包装箱。
【請求項２】
前記付勢部はウレタンフォーム、ゴム部材等の弾性部材でなり、前記収納物載置部は上下方向に沿って配置された板状体であり、該板状体は前記収納物を載置可能な剛性を有することを特徴とする請求項１記載の包装箱。
【請求項３】
前記収納物載置部材は、一対の板同士のなす角度が自在となるように支持部で交差され、前記一対の板同士の間に前記付勢部が介在されていることを特徴とする請求項１又は請求項２に記載された包装箱。
【請求項４】
前記板状体は、段ボールシートでなることを特徴とする請求項２又は請求項３に記載された包装箱。
【発明の詳細な説明】
【技術分野】
【０００１】
本発明は、電気製品、機械製品、部品等の各種の収納物を収納する包装箱に関し、更に詳しくは、収納物を取り出し易くした包装箱に関する。
【背景技術】
【０００２】
従来、例えば複写機等の比較的重量の重い製品を包装する包装箱としては、段ボール箱内の収納物の周囲に、発泡スチロール等でなる、例えば上部パッド、下部パッド、側部パッド等の緩衝材を配置させるものがある。
【０００３】
また、他の従来の包装箱としては、帯状の段ボールシートを収納物に巻き付けたものを箱内に収納する包装箱が知られている（例えば、特許文献１参照。）。
【０００４】
【特許文献１】実開平５−８９２６８号公報（第１頁、図２）
【発明の開示】
【発明が解決しようとする課題】
【０００５】
上述の従来の包装箱から収納物を取り出すには、包装箱の上部を開放した後、上部パッドを箱内から取り除いて収納物を持ち上げて取り出している。しかし、収納物が例えば複写機等の比較的重量のあるものである場合、収納物を完全に包装箱の上まで持ち上げて取り出す場合に無理な体勢で取り出すことを余儀なくされる場合もあった。特に、収納物自体の高さが高い場合は、無理な体勢で収納物を高い位置まで引き上げる必要があり、開梱作業に大きな負担がかかっていた。
【０００６】
そこで、本発明の目的は、収納物の高さが高いものであっても開梱作業を容易に行える緩衝機能を備えた包装箱を提供することにある。
【課題を解決するための手段】
【０００７】
請求項１記載の発明は、収納物を収納する箱本体内に、前記収納物と前記箱本体の内側面との間に緩衝部材が介在される包装箱に関するものである。
【０００８】
この発明に係る包装箱は、前記収納物の側面と前記箱本体の内側面との間に配置される前記緩衝部材が、前記箱本体の内外方向に弾性変形する付勢部と、前記収納物を収納した状態で該付勢部の付勢力で前記箱本体の内方向へ付勢される、前記箱本体の高さより低い高さの収納物載置部とでなることを特徴としている。
【０００９】
請求項２記載の発明は、請求項１記載の包装箱に関するものである。この発明に係る包装箱は、前記付勢部はウレタンフォーム、ゴム部材等の弾性部材でなり、前記収納物載置部は上下方向に沿って配置された板状体であり、収納物を載置可能な剛性を有することを特徴としている。
【００１０】
請求項３記載の発明は、請求項１又は請求項２に記載された包装箱に関するものである。この発明に係る包装箱は、前記収納物載置部材が、一対の板同士のなす角度が自在となるように支持部で交差し、前記一対の板同士の間に前記付勢部が介在されていることを特徴としている。
【００１１】
請求項４記載の発明は、請求項１又は請求項２に記載された包装箱に関するものである。この発明に係る包装箱は、前記板状体が段ボールシートでなることを特徴としている。
【発明の効果】
【００１２】
本発明によれば、収納物の高さが高いものであっても開梱作業を容易に行える緩衝機能を備えた包装箱を実現することができる。
【００１３】
また、本発明によれば、上記効果に加えて、開梱作業の安全性を確保すると共に、収納物が損傷することを有効に回避できる包装箱を実現することができる。
【発明を実施するための最良の形態】
【００１４】
以下、本発明を実施するための最良の形態に係る包装箱の説明をする。本実施の形態に係る包装箱は、収納物を収納する箱本体内に、収納物と箱本体の内側面との間に緩衝部材が介在されたものである。
【００１５】
特に、本実施の形態に係る包装箱では、収納物の側面と箱本体の内側面との間に配置される緩衝部材が、箱本体の内外方向に弾性変形する例えばウレタンフォームやゴム部材等の弾性部材でなる付勢部と、収納物を収納した状態で付勢部の付勢力で箱本体の内方向へ付勢される、箱本体の高さより低い高さの板状体でなる収納物載置部とでなる。なお、この収納物載置部の高さは、収納物の高さに応じて設定されるが、収納物の引き上げ高さが高くなる手前の高さ寸法となるように設定することが好ましい。このようにすることにより、収納物を所定の高さまで引き上げて作業者の体勢に無理のない高さで一旦収納物を手から離して体勢を立て直すことが可能となる。
【００１６】
また、この収納物載置部材は、収納物を載置するに足り得る剛性を有する一対の板（例えば段ボール板）同士のなす角度が自在となるように支持部でハサミ状に交差し、一対の板同士の間に上記付勢部が介在される構成が好ましい。
【００１７】
このような構成の包装箱では、箱本体内に収納物が収納、梱包された包装箱を開梱する場合に、上部を開放させて収納物を引き上げると、所定の高さで包装箱側で収納物を載置、保持する作用を奏するため、作業者は姿勢を立て直して収納物の取り出し作業にあたることが可能となる。
【００１８】
このため、本実施の形態に包装箱では、作業者の安全性を図ることができる。加えて、収納物の取り出しを容易するため、収納物を落としたり倒したりすることを回避でき損傷が発生することを防止できる。
【実施例】
【００１９】
以下、本発明の実施例に係る包装箱の詳細を図１〜図４を用いて説明する。図１は本実施例に係る包装箱に収納物を収納した状態を示す斜視図、図２は包装箱から収納物を引き上げる途中の状態を示す斜視図、図３は収納物が収納されている状態を示す要部断面図、図４は収納物が引き上げられている途中を示す要部断面図である。なお、図１及び図２は、説明の便宜上包装箱を破線で示し、収納物を一点鎖線で示している。
【００２０】
本実施例に係る包装箱１は、通常の段ボール箱と同じ構成の箱本体２と、この箱本体２の底部に設けられたスキッド３と、箱本体２内の両側部に配置された緩衝部材４とを備えてなる。箱本体２は、図示しないが、上部に収納空間を閉塞するフラップが各側板部２Ａの上縁に形成されている。スキッド３は、箱本体２の底部に例えば接着されて固定されたものであり、重量のある収納物を収納する箱本体２の強度を高めている。
【００２１】
次に、緩衝部材４の構成を図２を用いて説明する。緩衝部材４は、互いに中央で交差する段ボールシートでなる、収納物載置部としての一対の収納物載置板５と、これら一対の収納物載置板５に沿って配置された段ボールシートでなる背面板６と、互いに交差する一対の収納物載置板５の交差部（支持部）７の両側で収納物載置板５同士に挟まれるように配置された第１付勢部８Ａと、背面板６と交差部７との間に介在された第２付勢部８Ｂと、を備えてなる。なお、本実施例においては、この収納物載置板５の高さは、箱本体２の高さの半分程度に設定している。
【００２２】
図１に示すように、上述した包装箱１に収納物を収納する方法としては、箱本体２の上部の図示しないフラップを開いた状態で、箱本体２の底部を保護するクッション部材９を敷き収納物１０を収納する。そして、箱本体２の側板部２Ａと収納物１０の両側面との間隙に、第１付勢部８Ａと第２付勢部８Ｂとを圧し縮めた状態で緩衝部材４を挿入し、収納物１０の上部や上部角部等にクッション部材を適宜配置して上部フラップを閉じればよい。
【００２３】
また、他の収納方法としては、箱本体２の対向する側板部２Ａのそれぞれの内側下部に、緩衝部材４を配置しておき、その後箱本体２に収納物１０を挿入する際に、緩衝部材４を圧し縮めてもよい。また、板状の挿入治具を用いて、緩衝部材４を圧し縮めた状態で挿入治具の内側へ収納物１０を挿入し、収納物１０が箱本体２に収納された時点で挿入治具を抜き取るという方法を用いてもよい。
【００２４】
次に、本実施例に係る包装箱１の作用について説明する。図１及び図３に示すように、包装箱１に収納物１０が収納されている状態では、底部に敷いたクッション部材９、側部に配置された緩衝部材４、並びに上部に配置されたクッション部材等により、包装箱１全体に振動や衝撃が与えられても収納物１０は保護される。
【００２５】
また、包装箱１から収納物１０を取り出す場合は、箱本体２の上部のフラップを開け、箱本体２から収納物１０を引き上げる。そして、収納物１０の下部が、箱本体２に収納されている緩衝部材４より上に移動した時点で、緩衝部材４の第１付勢部８Ａと第２付勢部８Ｂを押さえる作用がなくなる。このため、これら第１付勢部８Ａ及び第２付勢部８Ｂの反発力により、収納物載置板５同士は互いになす角度を大きくするように押し出されて、平面十字状に広げられる。これに伴い、図２及び図４に示すように、これら収納物載置板５は収納物１０の下に位置するようになり、この状態で収納物１０から手を離しても収納物１０は収納物載置板５上に載置されるため、収納物１０の姿勢を保持させることができる。このとき、作業者は、体勢を立て直して、収納物１０をさらに上に持ち上げやすい姿勢を整えることができる。
【００２６】
このように本実施例によれば、収納物１０の高さが高いものであって、箱本体２の途中まで収納物１０を引き上げた状態で手を離すことが可能となり、作業者の体勢の立て直し等を行うことができ、開梱作業を容易に行うことができる。
【００２７】
また、本実施例によれば、上記効果に加えて、開梱作業の安全性を確保すると共に、緩衝部材４等の緩衝作用により収納物１０が損傷することを防止できる。
（その他の実施例）
上記の本発明の実施例の開示の一部をなす論述及び図面はこの発明を限定するものであると理解するべきではない。この開示から当業者には様々な代替実施の形態及び運用技術が明らかとなろう。
【００２８】
例えば、上述の実施例では、緩衝部材４が一対の収納物載置板５を中央で交差するように構成したが、収納物載置板が付勢手段で箱本体２の底部の内側へ向けて押し出される構成であれば、各種の設計変更が可能である。付勢手段としては、ウレタンフォームの他にゴム部材や他の弾性変形する部材等の各種の物を代替することができる。
【産業上の利用可能性】
【００２９】
本発明は、製品を包装する産業分野で広く利用することができる。
【図面の簡単な説明】
【００３０】
【図１】本発明の実施例に係る包装箱に収納物を収納した状態を示す斜視図である。
【図２】本発明の実施例に係る包装箱から収納物を引き上げる途中の状態を示す斜視図である。
【図３】本発明の実施例に係る包装箱に収納物を収納した状態を示す要部断面図である。
【図４】本発明の実施例に係る包装箱から収納物を引き上げる途中の状態を示す要部断面図である。
【符号の説明】
【００３１】
１……包装箱、２……箱本体、４……緩衝部材、５……収納物載置板、８Ａ……第１付勢部、８Ｂ……第２付勢部、１０……収納物
【図１】
2005145458.tif 000003
【図２】
2005145458.tif 000004
【図３】
2005145458.tif 000005
【図４】
2005145458.tif 000006